(57)【要約】【課題】高級感のあるゴルフボール用パッケージ２の提供。【解決手段】パッケージ２は、身４と蓋６とからなる。蓋６は、上板８及び４枚の側板１０を備えている。上板８は、凸部１２と凹部１４とを備えている。多数の凸部１２と多数の凹部１４とが、交互に配置されている。凸部１２と凹部１４とにより、凹凸模様が形成されている。上板８は、板紙からなる。この板紙は、金属蒸着層を備えている。この金属蒸着層は、表面から視認可能である。凸部１２の表面粗さは、凹部１４の表面粗さより小さい。凸部１２は平滑であり、凹部１４は艶消しである。凸部１２の色目は、凹部１４の色目と異なる。凸部１２の明度は、凹部１４の明度よりも大きい。凸部１２と凹部１４との段差は、０．０５ｍｍ以上０．５ｍｍ以下である。凸部１２のピッチは、１ｍｍ以上１０ｍｍ以下である。【選択図】図１
0003148094.tif 000002
【実用新案登録請求の範囲】
【請求項１】
金属層を有する板紙からなり、この金属層の全部又は一部が表面から視認可能であり、その表面に凸部と凹部とを備えており、この凸部の表面粗さが凹部の表面粗さと異なるゴルフボール用パッケージ。
【請求項２】
上記凸部の表面が平滑面であり、上記凹部の表面が粗面である請求項１に記載のパッケージ。
【請求項３】
上記凸部と凹部との段差が０．０５ｍｍ以上０．５ｍｍ以下である請求項１又は２に記載のパッケージ。
【請求項４】
多数の凸部と多数の凹部とが交互に配置されることによって凹凸模様が形成されている請求項１から３のいずれかに記載のパッケージ。
【請求項５】
上記凹凸模様を含む面の面積に対する、凹凸模様が形成されている部分の面積の比率が５０％以上である請求項４に記載のパッケージ。
【請求項６】
上記凸部のピッチが１ｍｍ以上１０ｍｍ以下である請求項４又は５に記載のパッケージ。
【請求項７】
上記金属層の上に塗布された光透過性のインクによって着色されており、凸部の色目が凹部の色目と異なっている請求項１から６のいずれかに記載のパッケージ。
【請求項８】
上記凸部の明度が凹部の明度よりも大きい請求項７に記載のパッケージ。
【請求項９】
その表面にクリア塗料からなるクリア層を備えており、凸部におけるクリア塗料のレベリングの程度が凹部におけるクリア塗料のレベリングの程度と異なることにより、この凸部の表面粗さが凹部の表面粗さと異ならされている請求項１から８のいずれかに記載のパッケージ。
【請求項１０】
上記凹部がクリア層の下に下地層を備えており、この下地層によってクリア塗料がはじかれることで、凹部の表面粗さが高められている請求項９に記載のパッケージ。
【請求項１１】
上記凸部がクリア層の下に下地層を備えており、この下地層によってクリア塗料がはじかれることで、凸部の表面粗さが高められている請求項９に記載のパッケージ。
【請求項１２】
上記板紙が基紙とこの基紙にコートされた樹脂層とをさらに備えており、上記金属層がこの樹脂層の上に形成されており、この金属層が金属蒸着によって得られている請求項１から１１のいずれかに記載のパッケージ。
【請求項１３】
上記板紙が基紙をさらに備えており、上記金属層がこの基紙に接着された金属箔からなる請求項１から１１のいずれかに記載のパッケージ。
【考案の詳細な説明】
【技術分野】
【０００１】
本考案は、ゴルフボールのためのパッケージに関する。
【背景技術】
【０００２】
ゴルフボールのパッケージとしては、個装箱、内装箱及び外装箱が知られている。個装箱は、スリーブと称されている。個装箱には、３個のゴルフボールが収納される。内装箱は、ダース箱と称されている。内装箱には、４個の個装箱が収納される。従って、内装箱には１２個（１ダース）のゴルフボールが収納される。外装箱は、一般的には、段ボール紙からなる。外装箱には、多数の内装箱が収納される。輸送時には、ゴルフボールは、個装箱、内装箱及び外装箱によって保護される。ショップでは、ゴルフボールは、個装箱及び内装箱に収納されて展示される。個装箱のみに収納されて、ゴルフボールが展示される場合もある。個装箱及び内装箱には、装飾性が必要である。２個のゴルフボールが収納される個装箱も、存在する。６個（すなわち半ダース）のゴルフボールが収納される内装箱も、存在する。
【０００３】
ゴルファーは、ゴルフボールに、飛行性能、打球感及びコントロール性能を要求する。ゴルファーの要求レベルは、高い。ゴルフボールメーカーは、ゴルファーの要求にミートさせるべく、技術開発を行っている。ゴルフボールの開発には、多大の労力とコストとがかかる。ゴルフボールの生産にも、多大の労力とコストとがかかる。ゴルフボールは、高付加価値商品である。ゴルフボールの価格は、その原材料価格に比べ、高い。
【０００４】
ゴルフボール用のパッケージには、ゴルフボールの価格につり合う高級感が必要である。金属蒸着層を備えた板紙からなるパッケージが、用いられている。このパッケージでは、金属光沢によって高級感が発揮される。金属蒸着層の上に光透過性インクからなる印刷層を備えたパッケージも、用いられている。このインクによる着色により、パッケージの高級感が高められうる。金属蒸着層を備え、エンボス加工によって凹凸模様が形成されたパッケージも、用いられている。このエンボス加工により、模様が浮き上がる。粗面加工が施されたパッケージも、用いられている。この粗面加工により、パッケージに光輝性が付与される。さらに、ホログラム処理がなされたパッケージが、提案されている（実用新案登録第３０５９２１６号公報）。このホログラム処理により、パッケージに光輝性が付与される。
【特許文献１】実用新案登録第３０５９２１６号公報
【考案の開示】
【考案が解決しようとする課題】
【０００５】
ゴルフボールのパッケージには、さらなる高級感が求められている。本考案の目的は、高級感のあるゴルフボール用パッケージの提供にある。
【課題を解決するための手段】
【０００６】
本考案に係るゴルフボール用パッケージは、金属層を有する板紙からなる。この金属層の全部又は一部は、表面から視認可能である。このパッケージは、表面に凸部と凹部とを備える。この凸部の表面粗さは、凹部の表面粗さと異なる。
【０００７】
好ましくは、凸部の表面は平滑面であり、凹部の表面は粗面である。好ましくは、凸部と凹部との段差は、０．０５ｍｍ以上０．５ｍｍ以下である。
【０００８】
好ましくは、多数の凸部と多数の凹部とが交互に配置される。この凸部と凹部とにより、凹凸模様が形成される。好ましくは、凹凸模様を含む面の面積に対する、凹凸模様が形成されている部分の面積の比率は、５０％以上である。好ましくは、凸部のピッチは、１ｍｍ以上１０ｍｍ以下である。
【０００９】
好ましくは、パッケージは、金属層の上に塗布された光透過性のインクによって着色されている。凸部の色目は、凹部の色目と異なっている。好ましくは、凸部の明度は、凹部の明度よりも大きい。
【００１０】
好ましくは、パッケージは、クリア塗料からなるクリア層をその表面に備える。凸部におけるクリア塗料のレベリングの程度は、凹部におけるクリア塗料のレベリングの程度と異なる。これに起因して、凸部の表面粗さが凹部の表面粗さと異なる。好ましくは、凹部は、クリア層の下に下地層を備える。この下地層によってクリア塗料がはじかれることで、凹部の表面粗さが高められる。凸部がクリア層の下に下地層を備えてもよい。この下地層によってクリア塗料がはじかれることで、凸部の表面粗さが高められる。
【００１１】
好ましくは、板紙は、基紙とこの基紙にコートされた樹脂層とをさらに備える。金属層は、この樹脂層の上に形成されている。この金属層は、金属蒸着によって得られる。板紙が基紙を備え、この基紙に接着された金属箔から金属層がなってもよい。
【考案の効果】
【００１２】
本考案に係るゴルフボール用パッケージでは、視認可能な金属層により、光沢感が発揮される。このパッケージでは、凸部の表面粗さと凹部の表面粗さとが異なるので、コントラストが得られる。凸部及び凹部の段差と、コントラストとにより、光輝性が発揮される。このパッケージは、高級感を有する。
【考案を実施するための最良の形態】
【００１３】
以下、適宜図面が参照されつつ、好ましい実施形態に基づいて本考案が詳細に説明される。
【００１４】
図１は、本考案の一実施形態に係るゴルフボール用パッケージ２が示された斜視図である。このパッケージ２は、内装箱である。図示されていないが、このパッケージ２に４個の個装箱が収納される。この個装箱には、３個のゴルフボールが収納される。このパッケージ２は、いわゆる「ダース箱」である。このパッケージ２は、身４と蓋６とからなる。蓋６は、板紙からなる。蓋６は、上板８及び４枚の側板１０を備えている。
【００１５】
図２（ａ）は、図１のパッケージ２の上板８の一部が示された拡大平面図である。図２（ｂ）は、図２（ａ）のＢ−Ｂ線に沿った断面図である。このパッケージ２は、凸部１２と凹部１４とを備えている。図２（ａ）において、網点で塗られた部分が凹部１４であり、残余の部分が凸部１２である。図２（ｂ）に示されるように、凸部１２と凹部１４との間には、段差Ｄが存在する。
【００１６】
凸部１２の平面形状は、直角二等辺三角形（すなわち幾何学図形）である。凹部１４の平面形状も、直角二等辺三角形である。多数の凸部１２と多数の凹部１４とが、交互に配置されている。凸部１２と凹部１４とにより、凹凸模様が形成されている。直角二等辺三角形以外の幾何学図形が用いられてもよい。
【００１７】
図１に示されるように、上板８はブランドエリア１６を備えている。図示されていないが、このブランドエリア１６には、ゴルフボールの銘柄が印刷されている。このブランドエリア１６には、凹凸模様は形成されていない。上板８の表面のうち、ブランドエリア１６以外の領域には、凹凸模様が形成されている。凹凸模様が形成される部位は、適宜決定されうる。身４の側板１０には、凹凸模様が形成されていない。側板１０に凹凸模様が形成されてもよい。個装箱に凹凸模様が形成されてもよい。
【００１８】
図３は、図１のパッケージ２に用いられる板紙１８が示された断面図である。この板紙１８は、基紙２０、樹脂層２２、金属層２４、第一インク層２６、第二インク層２８、下地層３０及びクリア層３２を備えている。第二インク層２８及び下地層３０は、部分的に設けられている。
【００１９】
基紙２０は、多数の繊維が絡み合って形成されている。それぞれの繊維の主成分は、セルロースである。樹脂層２２は、基紙２０にコートされている。樹脂層２２の典型的なベースポリマーは、ポリエチレンテレフタレートである。金属層２４の材質は、アルミニウム（又はアルミニウム合金）である。金属層２４は、樹脂層２２の上にアルミニウムが蒸着されることにより、形成されている。
【００２０】
第一インク層２６は、金属層２４の上に形成されている。第一インク層２６は、光透過性のインクが金属層２４の上に印刷されることで、得られている。このインクは、顔料を含んでいる。第二インク層２８は、第一インク層２６の上に形成されている。第二インク層２８は、光透過性のインクが第一インク層２６の上に印刷されることで、得られている。このインクは、顔料を含んでいる。第二インク層２８の顔料は、第一インク層２６の顔料とは異なる。第一インク層２６の色目は、第二インク層２８の色目とは異なっている。第一インク層２６の明度は、第二インク層２８の明度よりも高い。パッケージ２に、第一インク層２６を有さない板紙１８が用いられてもよい。パッケージ２に、第二インク層２８を有さない板紙１８が用いられてもよい。
【００２１】
下地層３０は、第二インク層２８の上に形成されている。ニスが印刷されることにより、下地層３０が形成されている。このニスは、無色透明である。クリア層３２は、第一インク層２６及び下地層３０の上に形成されている。クリア層３２は、第一インク層２６及び下地層３０の上にクリア塗料が印刷されることにより、形成されている。クリア層３２は、無色透明である。ＵＶ硬化タイプのクリア塗料が、好適に用いられる。この塗料に紫外線が照射され、塗料が硬化してクリア層３２が得られる。
【００２２】
このパッケージ２が得られるには、基紙２０、樹脂層２２及び金属層２４からなる原紙が準備される。この原紙が、印刷機に通される。この印刷機は、タンデムに並べられた複数のロール版を備えている。最初のロール版から原紙にインクが転写され、第一インク層２６が得られる。次のロール版から原紙にインクが転写され、第二インク層２８が得られる。次のロール版から原紙にニスが転写される。ニスは、第二インク層２８の上にのみ、転写される。このニスにより、下地層３０が得られる。次のロール版から原紙に、クリア塗料が転写される。このクリア塗料は、ニスとのなじみに劣る。下地層３０の上では、クリア塗料がはじかれる。下地層３０の上では、クリア塗料のレベリングの程度が低い。第一インク層２６の上では、クリア塗料のレベリングの程度が高い。このクリア塗料に紫外線が照射され、クリア塗料が硬化する。硬化によってクリア層３２が形成され、板紙１８が得られる。この板紙１８が、オス型とメス型とからなる金型を有するプレスに搬送される。このプレスにより、板紙１８にエンボス加工が施される。このエンボス加工により、凸部１２と凹部１４とが形成される。第二インク層２８及び下地層３０が存在する部位には、凹部１４が形成される。第二インク層２８及び下地層３０が存在しない部位には、凸部１２が形成される。この板紙１８が裁断され、且つ組み立てられて、パッケージ２が得られる。この製造方法により、パッケージ２が短時間且つ低コストで得られる。
【００２３】
第一インク層２６及び第二インク層２８は光透過性なので、このパッケージ２では金属層２４が視認される。この金属層２４により、光沢感が発揮される。金属層２４は、パッケージ２の高級感に寄与する。凸部１２のみにおいて、金属層２４が視認されてもよい。凹部１４のみにおいて、金属層２４が視認されてもよい。
【００２４】
凸部１２と凹部１４との境界では、段差によって光が反射される。この反射により、パッケージ２に光輝性が付与される。段差は、パッケージ２の高級感に寄与する。光輝性の観点から、段差Ｄは０．０５ｍｍ以上が好ましい。凸部１２の耐久性の観点から、段差Ｄは０．５ｍｍ以下が好ましい。
【００２５】
前述の通り、凹部１４では、ニスによってクリア塗料がはじかれている。従って、凹部１４ではクリア層３２の表面粗さが大きい。凹部１４は、艶消しの風合いを呈する。一方、凸部１２ではクリア塗料がはじかれていないので、凸部１２は平滑性に優れる。凸部１２の光沢と凹部１４の艶消しとの繰り返しにより、パッケージ２の高級感が高められる。凸部１２が艶消しにされ、凹部１４が平滑にされてもよい。
【００２６】
凸部１２の色目は、第一インク層２６に支配される。凹部１４の色目は、第二インク層２８の影響を強く受ける。前述の通り、第一インク層２６の明度は、第二インク層２８の明度よりも大きい。凸部１２と凹部１４とのコントラストにより、パッケージ２の高級感が高められる。凸部１２の明度が小さく、かつ凹部１４の明度が大きくてもよい。Ｌ＊ａ＊ｂ＊系における凸部１２の明度Ｌ＊と凹部１４の明度Ｌ＊と差は、２０以上が好ましく、３０以上が特に好ましい。
【００２７】
図２において符号Ｐで示されているのは、凸部１２のピッチである。光輝性の観点から、ピッチＰは１ｍｍ以上１０ｍｍ以下が好ましい。ピッチＰは、２ｍｍ以上がより好ましく、３ｍｍ以上が特に好ましい。ピッチＰは、７ｍｍ以下がより好ましい。
【００２８】
ゴルフボールの輸送時には、多数のパッケージ２が積み重ねられて、外装箱に収納される。パッケージ２には、荷重がかかる。図２（ｂ）から明らかなように、凸部１２は平坦である。換言すれば、凸部１２は頂点を有さない。従って、凸部１２に荷重がかかっても、凸部１２がつぶれにくい。
【００２９】
凹凸模様を含む面（この実施形態では、上板８の表面）の面積Ｓ１に対する、凹凸模様が形成されている部分の面積Ｓ２の比率は、５０％以上が好ましい。この比率が５０％以上であるパッケージ２は、高級感がある。この観点から、比率は６０％以上がより好ましく、６５％以上が特に好ましい。図１に示されたパッケージ２では、面積Ｓ１は２６６ｃｍ２であり、面積Ｓ２は１７４ｃｍ２である。従って、比率は６５．４％である。側板１０に凹凸模様が形成される場合も、この側板１０において、比率が上記範囲に設定されることが好ましい。個装箱のいずれかの面に凹凸模様が形成される場合も、この面において、比率が上記範囲に設定されることが好ましい。
【００３０】
凹凸模様における、凸部１２の面積の合計Ｓ１と凹部１４の面積との比（Ｓ１／Ｓ２）は、３０／７０以上７０／３０以下が好ましく、４０／６０以上６０／４０以下が特に好ましい。図２に示された凹凸模様では、比（Ｓ１／Ｓ２）は５０／５０である。
【００３１】
それぞれの凸部１２の面積は、１ｍｍ２以上１００ｍｍ２以下が好ましく、３ｍｍ２以上５０ｍｍ２以下が特に好ましい。
【００３２】
蒸着に代えて、基紙２０に金属箔が接着されてもよい。この金属箔が、金属層２４を構成する。典型的な金属箔は、アルミニウム箔である。
【００３３】
本考案に係るパッケージ２は、以下の凹凸模様を備えうる。
タイプＩ
凸部１２の明度：大きい
凸部１２の表面：平滑
凹部１４の明度：小さい
凹部１４の表面：艶消し
タイプII
凸部１２の明度：大きい
凸部１２の表面：艶消し
凹部１４の明度：小さい
凹部１４の表面：平滑
タイプIII
凸部１２の明度：小さい
凸部１２の表面：平滑
凹部１４の明度：大きい
凹部１４の表面：艶消し
タイプIII
凸部１２の明度：小さい
凸部１２の表面：艶消し
凹部１４の明度：大きい
凹部１４の表面：平滑
タイプＩの凹凸模様が、最も好ましい。タイプＩの凹凸模様は、光輝性に優れる。
【００３４】
図４（ａ）は、本考案の他の実施形態に係るゴルフボール用パッケージ４６の一部が示された平面図である。図４（ｂ）は、図４（ａ）のＢ−Ｂ線に沿った断面図である。このパッケージ４６は、図１及び２に示されたパッケージ２の板紙１８と同等の板紙からなる。このパッケージ４６は、凸部４８と凹部５０とを備えている。図４（ａ）において、網点で塗られた部分が凹部５０であり、残余の部分が凸部４８である。図４（ｂ）に示されるように、凸部４８と凹部５０との間には、段差Ｄが存在する。凸部４８の平面形状は、直角三角形である。凹部５０の平面形状も、直角三角形である。多数の凸部４８と多数の凹部５０とが、交互に配置されている。凸部４８と凹部５０とにより、凹凸模様が形成されている。このパッケージ４６では、凸部４８の表面粗さは凹部５０の表面粗さと異なっている。このパッケージ４６では、凸部４８の色目は凹部５０の色目とは異なっている。このパッケージ４６には、高級感がある。
【００３５】
図５（ａ）は、本考案のさらに他の実施形態に係るゴルフボール用パッケージ５４の一部が示された平面図である。図５（ｂ）は、図５（ａ）のＢ−Ｂ線に沿った断面図である。このパッケージ５４は、図１及び２に示されたパッケージ２の板紙１８と同等の板紙からなる。このパッケージ５４は、凸部５６と凹部５８とを備えている。図５（ａ）において、網点で塗られた部分が凹部５８であり、残余の部分が凸部５６である。図５（ｂ）に示されるように、凸部５６と凹部５８との間には、段差Ｄが存在する。凸部５６の平面形状は、正方形である。凹部５８は、溝状である。多数の凸部５６と多数の凹部５８とが、交互に配置されている。凸部５６と凹部５８とにより、凹凸模様が形成されている。このパッケージ５４では、凸部５６の表面粗さは凹部５８の表面粗さと異なっている。このパッケージ５４では、凸部５６の色目は凹部５８の色目とは異なっている。このパッケージ５４には、高級感がある。
【００３６】
図６（ａ）は、本考案のさらに他の実施形態に係るゴルフボール用パッケージ６２の一部が示された平面図である。図６（ｂ）は、図６（ａ）のＢ−Ｂ線に沿った断面図である。図６（ｃ）は、図６（ａ）のＣ−Ｃ線に沿った断面図である。このパッケージ６２は、図１及び２に示されたパッケージ２の板紙１８と同等の板紙からなる。このパッケージ６２は、第一凸部６４と、第二凸部６６と、凹部６８とを備えている。図６（ａ）において、網点で塗られた部分が凹部６８である。図６（ｂ）に示されるように、第一凸部６４と凹部６８との間には、段差Ｄが存在する。図６（ｃ）に示されるように、第二凸部６６と凹部６８との間には、段差Ｄが存在する。第一凸部６４は、２つの台形が合わされた形状を有する。第二凸部６６は、２つの正三角形が合わされた形状を有する。凹部６８は、溝状である。多数の第一凸部６４と多数の凹部６８とが、交互に配置されている。多数の第二凸部６６と多数の凹部６８とが、交互に配置されている。第一凸部６４、第二凸部６６及び凹部６８により、凹凸模様が形成されている。このパッケージ６２では、第一凸部６４の表面粗さは凹部６８の表面粗さと異なっている。このパッケージ６２では、第二凸部６６の表面粗さは凹部６８の表面粗さと異なっている。このパッケージ６２では、第一凸部６４の色目は凹部６８の色目とは異なっている。このパッケージ６２では、第二凸部６６の色目は凹部６８の色目とは異なっている。このパッケージ６２には、高級感がある。
【００３７】
図７（ａ）は、本考案のさらに他の実施形態に係るゴルフボール用パッケージ７２の一部が示された平面図である。図７（ｂ）は、図７（ａ）のＢ−Ｂ線に沿った断面図である。このパッケージ７２は、図１及び２に示されたパッケージ２の板紙１８と同等の板紙からなる。このパッケージ７２は、凸部７４と凹部７６とを備えている。図７（ａ）において、網点で塗られた部分が凹部７６であり、残余の部分が凸部７４である。図７（ｂ）に示されるように、凸部７４と凹部７６との間には、段差Ｄが存在する。凸部７４の平面形状は、長方形である。凹部７６は、溝状である。多数の凸部７４と多数の凹部７６とが、交互に配置されている。凸部７４と凹部７６とにより、凹凸模様が形成されている。このパッケージ７２では、凸部７４の表面粗さは凹部７６の表面粗さと異なっている。このパッケージ７２では、凸部７４の色目は凹部７６の色目とは異なっている。このパッケージ７２には、高級感がある。
【００３８】
図８（ａ）は、本考案のさらに他の実施形態に係るゴルフボール用パッケージ８０の一部が示された平面図である。図８（ｂ）は、図８（ａ）のＢ−Ｂ線に沿った断面図である。このパッケージ８０は、図１及び２に示されたパッケージ２の板紙１８と同等の板紙からなる。このパッケージ８０は、凸部８２と凹部８４とを備えている。図８（ａ）において、網点で塗られた部分が凹部８４であり、残余の部分が凸部８２である。図８（ｂ）に示されるように、凸部８２と凹部８４との間には、段差Ｄが存在する。これら凸部８２は、芋に類似の形状を有する。これら凸部８２の形状と配置とには、規則性がない。凹部８４のなかに、多数の凸部８２が分散している。凸部８２と凹部８４とにより、凹凸模様が形成されている。このパッケージ８０では、凸部８２の表面粗さは凹部８４の表面粗さと異なっている。このパッケージ８０では、凸部８２の色目は凹部８４の色目とは異なっている。このパッケージ８０には、高級感がある。
【００３９】
図９（ａ）は、本考案のさらに他の実施形態に係るゴルフボール用パッケージ８８の一部が示された平面図である。図９（ｂ）は、図９（ａ）のＢ−Ｂ線に沿った断面図である。このパッケージ８８は、図１及び２に示されたパッケージ２の板紙１８と同等の板紙からなる。このパッケージ８８は、凸部９０と凹部９２とを備えている。図９（ａ）において、網点で塗られた部分が凹部９２であり、残余の部分が凸部９０である。図９（ｂ）に示されるように、凸部９０と凹部９２との間には、段差Ｄが存在する。凸部９０の形状は、四角錐である。凸部９０は、頂点９４を有する。凹部９２は、溝状である。多数の凸部９０と多数の凹部９２とが、交互に配置されている。凸部９０と凹部９２とにより、凹凸模様が形成されている。このパッケージ８８では、凸部９０の表面粗さは凹部９２の表面粗さと異なっている。このパッケージ８８では、凸部９０の色目は凹部９２の色目とは異なっている。このパッケージ８８には、高級感がある。
【実施例】
【００４０】
以下、実施例によって本考案の効果が明らかにされるが、この実施例の記載に基づいて本考案が限定的に解釈されるべきではない。
【００４１】
［実施例１］
ゴルフボール用パッケージ（ダース箱）を製作した。このパッケージは、図３に示された板紙からなる。このパッケージの上板は、図４に示された凹凸模様を備えている。上板の表面の面積Ｓ１に対する、凹凸模様が形成されている部分の面積Ｓ２の比率は、６５．４％である。この凹凸模様の段差Ｄは、０．２ｍｍである。この凹凸模様のピッチＰは、３ｍｍである。凸部の表面は平滑であり、凹部の表面は艶消しである。第一インク層の色目は明るい黄色であり、第二インク層の色目は暗い黄色である。
【００４２】
［比較例１］
金属層を有さない板紙を用いた他は実施例１と同様にして、パッケージを得た。
【００４３】
［比較例２及び実施例２から６］
段差Ｄを下記の表１に示される通りとした他は実施例１と同様にして、パッケージを得た。比較例２のパッケージの製作では、エンボス加工を施さなかった。
【００４４】
［実施例７から１０］
凸部のピッチＰを下記の表１に示される通りとした他は実施例１と同様にして、パッケージを得た。
【００４５】
［実施例１１］
色目が暗い黄色である第二インク層を凸部に設けた他は実施例１と同様にして、パッケージを得た。
【００４６】
［実施例１２］
第一インク層及び第二インク層を有さない板紙を用いた他は実施例１と同様にして、パッケージを得た。
【００４７】
［比較例３］
下地層を有さない板紙を用いた他は実施例１と同様にして、パッケージを得た。クリア塗料がはじかれないので、凹部の表面は平滑であった。
【００４８】
［実施例１３］
第二インク層及び下地層を有する部分を凸部とし、残余の部分を凹部とした他は実施例１と同様にして、パッケージを得た。
【００４９】
［実施例１４から１９］
下記の表２に示される凹凸模様を形成した他は実施例１と同様にして、パッケージを得た。
【００５０】
［外観評価］
パッケージを目視で観察し、高級感について「Ａ」から「Ｄ」の格付けを行った。
【００５１】
［耐久性の評価］
３個のゴルフボールを、個装箱に収納した。４個の個装箱を、各実施例及び比較例のパッケージ（内装箱）に収納した。１０個のパッケージを、外装箱に収納した。この外装箱をトラックに積み込んだ。このトラックにて、３０００ｋｍの距離を走行した。走行後のパッケージの表面状態を目視により観察し、下記の基準に従って格付けした。
Ａ：傷及びへこみが全くない
Ｂ：傷又はへこみがあるが、目立たない
Ｃ：傷又はへこみがあり、目立つ
【００５２】
【表１】
0003148094.tif 000003
【００５３】
【表２】
0003148094.tif 000004
【００５４】
表１及び２に示されるように、各実施例のパッケージでは、高級感が得られている。この評価結果から、本考案の優位性は明らかである。
【産業上の利用可能性】
【００５５】
本考案に係るパッケージは、個装箱としても利用されうる。
【図面の簡単な説明】
【００５６】
【図１】図１は、本考案の一実施形態に係るゴルフボール用パッケージが示された斜視図である。
【図２】図２（ａ）は図１のパッケージの上板の一部が示された拡大平面図であり、図２（ｂ）は図２（ａ）のＢ−Ｂ線に沿った断面図である。
【図３】図３は、図１のパッケージに用いられる板紙が示された断面図である。
【図４】図４（ａ）は本考案の他の実施形態に係るゴルフボール用パッケージの一部が示された平面図であり、図４（ｂ）は図４（ａ）のＢ−Ｂ線に沿った断面図である。
【図５】図５（ａ）は本考案のさらに他の実施形態に係るゴルフボール用パッケージの一部が示された平面図であり、図５（ｂ）は図５（ａ）のＢ−Ｂ線に沿った断面図である。
【図６】図６（ａ）は本考案のさらに他の実施形態に係るゴルフボール用パッケージの一部が示された平面図であり、図６（ｂ）は図６（ａ）のＢ−Ｂ線に沿った断面図であり、図６（ｃ）は図６（ａ）のＣ−Ｃ線に沿った断面図である。
【図７】図７（ａ）は本考案のさらに他の実施形態に係るゴルフボール用パッケージの一部が示された平面図であり、図７（ｂ）は図７（ａ）のＢ−Ｂ線に沿った断面図である。
【図８】図８（ａ）は本考案のさらに他の実施形態に係るゴルフボール用パッケージの一部が示された平面図であり、図８（ｂ）は図８（ａ）のＢ−Ｂ線に沿った断面図である。
【図９】図９（ａ）は本考案のさらに他の実施形態に係るゴルフボール用パッケージの一部が示された平面図であり、図９（ｂ）は図９（ａ）のＢ−Ｂ線に沿った断面図である。
【符号の説明】
【００５７】
２、４６、５４、６２、７２、８０、８８・・・ゴルフボール用パッケージ
６・・・蓋
８・・・上板
１２、４８、５６、７４、８２、９０・・・凸部
１４、５０、５８、６８、７６、８４、９２・・・凹部
１８・・・板紙
２０・・・基紙
２２・・・樹脂層
２４・・・金属層
２６・・・第一インク層
２８・・・第二インク層
３０・・・下地層
３２・・・クリア層
６４・・・第一凸部
６６・・・第二凸部
９４・・・頂点
【図１】
0003148094.tif 000005
【図２】
0003148094.tif 000006
【図３】
0003148094.tif 000007
【図４】
0003148094.tif 000008
【図５】
0003148094.tif 000009
【図６】
0003148094.tif 000010
【図７】
0003148094.tif 000011
【図８】
0003148094.tif 000012
【図９】
0003148094.tif 000013